(57)【要約】【課題】１台の信号発生器で複数系統の試験信号を発生可能とすることにより、受信ダイバーシティの試験を低コストで行えるダイバーシティ評価信号発生装置を提供すること。【解決手段】ダイバーシティ評価用試験信号を生成出力する試験信号発生部と、この試験信号発生部の出力信号を被試験機器の複数のアンテナ入力系統に等しいパワーレベルで分配する信号分配部と、この信号分配部で分配された複数系統の信号レベルを個別に異なった値に設定する複数の可変アッテネータ、とを設けたことを特徴とするもの。【選択図】                    図１
2007271416.tif 000002
【特許請求の範囲】
【請求項１】
ダイバーシティ評価用試験信号を生成出力する試験信号発生部と、
この試験信号発生部の出力信号を被試験機器の複数のアンテナ入力系統に等しいパワーレベルで分配する信号分配部と、
この信号分配部で分配された複数系統の信号レベルを個別に異なった値に設定する複数の可変アッテネータ、
とを設けたことを特徴とするダイバーシティ評価信号発生装置。
【請求項２】
前記各可変アッテネータと直列に
可変位相器を設けたことを特徴とする請求項１記載のダイバーシティ評価信号発生装置。
【請求項３】
前記各可変アッテネータの入力側
に増幅器を設けたことを特徴とする請求項１または請求項２記載のダイバーシティ評価信号発生装置。
【請求項４】
前記増幅器は利得調整機能を有することを特徴とする請求項３記載のダイバーシティ評価信号発生装置。
【発明の詳細な説明】
【技術分野】
【０００１】
本発明は、ダイバーシティ評価信号発生装置に関し、詳しくは、ディジタルＴＶ受信機や携帯電話端末等の受信ダイバーシティアンテナを搭載した機器の試験を行うための信号発生器に関するものである。
【背景技術】
【０００２】
ダイバーシティは、受信電波のレベル変動を極力少なくして受信信号の信頼性を高め、安定した情報を受信するための技術であり、受信側に複数のアンテナや受信機を設けて通信信号を受信し、これら複数の受信系統から得られる出力を合成したり、最も良い信号を選択することによって受信電波のレベル変動を極力少なくすることが行われている。このようなダイバーシティの方式には、空間ダイバーシティ、偏波ダイバーシティ、周波数ダイバーシティ、時間ダイバーシティ、指向性ダイバーシティ、パスダイバーシティなどがあり、それぞれの長所・欠点を考慮しながら各種の通信分野で適切な方式が実用化されている。
【０００３】
ところで、このような複数ｎ(ｎ≧２)のアンテナ入力系統を有するダイバーシティ受信機能が搭載された機器の試験のためには、それぞれのアンテナ入力系統に個別に試験信号を入力するための複数ｎ台の試験信号発生器が必要となる。これら各試験信号発生器から送信される試験信号は、同一の送信信号に対して異なったフェージング特性を付加したものでなければならず、少なくともアンテナ入力系統毎に異なるレベルに設定できる必要がある。
【０００４】
【非特許文献１】三瓶政一  著「ディジタルワイヤレス伝送技術 : 基礎からシステム設計まで」      ピアソン・エデュケ−ション  ２００２年９月発行  １４６ページ〜１５６ページ
【０００５】
図４は従来の測定システムの一例を示すブロック図である。被試験機器３のダイバーシチ機能を試験するため、試験信号発生器１の出力信号をアンテナ入力系統毎に設けられた複数系統のフェージングシミュレータ２１〜２ｎで処理し、所望の試験信号を発生させている。すなわち、フェージングシミュレータ２１〜２ｎは、被試験機器３のアンテナ数に対応するように設けられたものであり、各フェージングシミュレータ２１〜２ｎは入力信号に対してアンテナ毎に個別にフェージングをかけた信号を出力する。
【０００６】
図５は従来の測定システムの他の例を示すブロック図である。図５の構成では、被試験機器３のアンテナ入力系統毎に個別の試験信号発生器１１〜１ｎを用意し、これら全ての試験信号発生器１１〜１ｎに共通の基準クロック発生器４の出力クロックを使用することにより、全信号発生器１１〜１ｎの出力周波数を一致させる。そして、これら信号発生器１１〜１ｎから出力される試験信号の出力レベルを変えることで、ダイバーシティ試験信号を発生する。
【発明の開示】
【発明が解決しようとする課題】
【０００７】
しかし、図４の構成によれば、高度な試験が可能であるが、高価な複数系統のフェージングシミュレータが必要になるという問題がある。
【０００８】
また、図５の構成によれば、試験信号発生器が複数台必要になるため、図４と同様にコストが高くなるという問題点がある。
【０００９】
本発明は、これらの従来の問題点に着目したものであり、その目的は、１台の信号発生器で複数系統の試験信号を発生可能とすることにより、受信ダイバーシティの試験を低コストで行えるダイバーシティ評価信号発生装置を提供することにある。
【課題を解決するための手段】
【００１０】
このような課題を達成する請求項１の発明は、
ダイバーシティ評価用試験信号を生成出力する試験信号発生部と、
この試験信号発生部の出力信号を被試験機器の複数のアンテナ入力系統に等しいパワーレベルで分配する信号分配部と、
この信号分配部で分配された複数系統の信号レベルを個別に異なった値に設定する複数の可変アッテネータ、
とを設けたことを特徴とするダイバーシティ評価信号発生装置である。
【００１１】
請求項２の発明は、請求項１記載のダイバーシティ評価信号発生装置において、
前記各可変アッテネータと直列に可変位相器を設けたことを特徴とする。
【００１２】
請求項３の発明は、請求項１または請求項２
記載のダイバーシティ評価信号発生装置において、
前記各可変アッテネータの入力側
に増幅器を設けたことを特徴とする。
【００１３】
請求項４の発明は、請求項３記載のダイバーシティ評価信号発生装置において、
前記増幅器は利得調整機能を有することを特徴とする。
【発明の効果】
【００１４】
これらにより、比較的簡単な構成で、複数系統の試験信号を出力できるダイバーシティ評価信号発生装置が実現できる。
【発明を実施するための最良の形態】
【００１５】
以下、本発明について、図面を用いて説明する。図１は本発明の一実施例を示すブロック図である。図１において、本発明に基づくダイバーシティ評価信号発生装置５は、試験信号発生部５１と、信号分配部５２と、アンテナ毎に設けられた複数系統の可変アッテネータ５３１〜５３ｎとで構成されている。
【００１６】
試験信号発生部５１は、被試験機器３の試験用信号を一定の出力レベルで生成する。信号分配部５２は、試験信号発生部５１から出力された試験信号を、複数のアンテナ入力系統に対して等しいパワーレベルで分配する。可変アッテネータ５３１〜５３ｎは、被試験機器３の複数のアンテナ入力系統に対して個別に異なる減衰量を設定することにより、複数のアンテナ入力系統の信号レベルを異なった値に設定する。
【００１７】
これにより、例えば被試験機器３のダイバーシティ合成方式として複数のアンテナ入力系統の中から最も受信信号レベルの高い系統を選択する選択合成方式を用いている場合、被試験機器３の複数のアンテナ入力系統に対して可変アッテネータ５３１〜５３ｎで個別に異なる減衰量を設定することによって複数のアンテナ入力系統に入力される信号レベルを異なった値に設定できるので、被試験機器３のアンテナ入力系統毎の選択レベルを的確に測定できる。
【００１８】
図１の構成によれば、複数のアンテナ入力系統のそれぞれに対して個別に可変アッテネータ５３１〜５３ｎを設けるだけでよく、従来の構成に比べてコストを抑えることができる。
【００１９】
図２は本発明の他の実施例を示すブロック図であり、図１と共通する部分には同一の符号を付けている。図２と図１の異なる点は、それぞれの可変アッテネータ５３１〜５３ｎと直列に可変位相器５４１〜５４ｎを設けていることであり、図２では可変アッテネータ５３１〜５３ｎの出力側に可変位相器５４１〜５４ｎを接続した例を示している。
【００２０】
これにより、複数のアンテナ入力系統の信号レベルだけでなく、アンテナ入力系統間の位相も変えることができ、位相の違いによる動作の影響を測定することもできる。
【００２１】
図２の構成によれば、例えば被試験機器３のダイバーシティ合成方式として複数のアンテナ入力系統すべての信号の位相を等しく同相にし、適切な重みをつけて合成する最大比合成方式を用いている場合、被試験機器３の複数のアンテナ入力系統に対してアッテネータ５３１〜５３ｎで個別に異なる減衰量を設定することによって複数のアンテナ入力系統に入力される信号レベルを異なった値に設定できるとともにアンテナ入力系統間の位相差
も容易に実現でき、被試験機器３の最大比合成特性を的確に測定できる。
【００２２】
なお図２では可変アッテネータ５３１〜５３ｎの出力側に可変位相器５４１〜５４ｎを設けたが、可変アッテネータ５３１〜５３ｎの入力側に可変位相器を設けてもよく、それぞれの可変アッテネータ５３１〜５３ｎと直列に可変位相器５４１〜５４ｎを接続すればよい。
【００２３】
図３も本発明の他の実施例を示すブロック図であり、図１と共通する部分には同一の符号を付けている。図３と図１の異なる点は、図３ではそれぞれのアッテネータ５３１〜５３ｎの入力側にそれぞれ増幅器５５１〜５５ｎを設けていることである。
【００２４】
これにより、各アッテネータ５３１〜５３ｎの出力間のアイソレーションを高くすることができる。
【００２５】
また、増幅器５５１〜５５ｎを利得調整機能の付いた増幅器とすることにより、アッテネータ５３１〜５３ｎの減衰量変更ステップを大きくでき、アッテネータ５３１〜５３ｎの構成を簡略化することもできる。
【００２６】
以上説明したように、本発明によれば、受信ダイバーシティの試験を低コストで行えるダイバーシティ評価信号発生装置が実現でき、携帯電話機やカーナビゲーションシステムなどの検査機器として好適である。
【図面の簡単な説明】
【００２７】
【図１】本発明の一実施例を示すブロック図である。
【図２】本発明の他の実施例を示すブロック図である。
【図３】本発明の他の実施例を示すブロック図である。
【図４】従来の測定システムの一例を示すブロック図である。
【図５】従来の測定システムの他の例を示すブロック図である。
【符号の説明】
【００２８】
５  ダイバーシティ評価信号発生装置
５１  試験信号発生部
５２  信号分配器
５３１〜５３ｎ  可変アッテネータ
５４１〜５４ｎ  増幅器
【図１】
2007271416.tif 000003
【図２】
2007271416.tif 000004
【図３】
2007271416.tif 000005
【図４】
2007271416.tif 000006
【図５】
2007271416.tif 000007